(57)【特許請求の範囲】
【請求項１】
有隔膜電解槽にて生成された電解生成酸性水および電解生成アルカリ性水をそれぞれ導出する２本の導出管路と、前記電解生成酸性水および前記電解生成アルカリ性水を選択的に注出する１本の注出管路と、前記各導出管路と前記注出管路との間に介在し切替動作により前記各導出管路を前記注出管路に選択的に接続する注出弁装置と、前記注出管路の先端部に接続された注出ノズル装置を備え、前記注出弁装置の切替動作により、前記電解生成酸性水および前記電解生成アルカリ性水を選択的に前記注出管路に注出して、前記注出ノズル装置を構成する注出ノズルを通して吐出する電解水生成装置であり、
前記注出ノズル装置は、円筒状のノズル部の長手方向の中間部に外向きフランジ状の棚部を有し前記ノズル部の上端部にて前記注出管路の先端部に接続される透明樹脂からなるノズル本体と、前記ノズル本体を所定間隔を保持して外嵌する不透明樹脂からなる円筒状のアウタパイプと、前記ノズル本体のノズル部の下端部に取付けられた状態で前記アウタパイプの下端開口部に嵌着されている透明樹脂からなる円盤状の散水スペーサと、前記ノズル本体の棚部上に前記ノズル部の外周を取巻く状態に配置された発光色の異なる複数の発光素子を備え、
前記注出ノズル装置を構成する前記各発光素子は選択的に注出される電解生成水の種類に応じて異なる色に発光して、前記ノズル本体のノズル部または同ノズル部から吐出する電解生成水を視認可能に照明することを特徴とする電解水生成装置。
【請求項２】
有隔膜電解槽にて生成された電解生成酸性水および電解生成アルカリ性水をそれぞれ導出する２本の導出管路と、前記電解生成酸性水、前記電解生成アルカリ性水およびこれら両電解生成水の混合した電解生成水を選択的に注出する１本の注出管路と、前記各導出管路と前記注出管路との間に介在し切替動作により前記各導出管路を前記注出管路に選択的または同時に接続する注出弁装置と、前記注出管路の先端部に接続された注出ノズル装置を備え、前記注出弁装置の切替動作により、前記電解生成酸性水、前記電解生成アルカリ性水およびこれら両電解生成水の混合した電解生成水を選択的に前記注出管路に注出して、前記注出ノズル装置を構成する注出ノズルを通して吐出する電解水生成装置であり、
前記注出ノズル装置は、円筒状のノズル部の長手方向の中間部に外向きフランジ状の棚部を有し前記ノズル部の上端部にて前記注出管路の先端部に接続される透明樹脂からなるノズル本体と、前記ノズル本体を所定間隔を保持して外嵌する不透明樹脂からなる円筒状のアウタパイプと、前記ノズル本体のノズル部の下端部に取付けられた状態で前記アウタパイプの下端開口部に嵌着されている透明樹脂からなる円盤状の散水スペーサと、前記ノズル本体の棚部上に前記ノズル部の外周を取巻く状態に配置された発光色の異なる複数の発光素子を備え、
前記注出ノズル装置を構成する前記各発光素子は選択的に注出される電解生成水の種類に応じて異なる色に発光して、前記ノズル本体のノズル部または同ノズル部から吐出する電解生成水を視認可能に照明することを特徴とする電解水生成装置。
【請求項３】
請求項１または２に記載の電解水生成装置であり、
前記注出ノズル装置を構成する前記散水スペーサはレンズ状を呈していて、前記発光素子にて発光する光を、前記ノズル本体のノズル部から吐出する電解生成水の中央部に収束すべく機能することを特徴とする電解水生成装置。
【発明の詳細な説明】
【技術分野】
【０００１】
本発明は、電解水生成装置に関する。
【背景技術】
【０００２】
電解水生成装置の一形式として、有隔膜電解槽にて生成された電解生成酸性水および電解生成アルカリ性水をそれぞれ導出する２本の導出管路と、電解生成酸性水および電解生成アルカリ性水を選択的に注出する１本の注出管路と、各導出管路と注出管路のと間に介在し切替動作により各導出管路を注出管路に選択的に接続する切替手段と、注出管路の先端に接続された水栓金具を備え、切替手段の切替動作により、電解生成酸性水および電解生成アルカリ性水を注出管路に選択的に注出して水栓金具を通して吐出する形式の電解水生成装置がある（特許文献１）。
【０００３】
当該特許文献１にて提案されている電解水生成装置は、洗面化粧台に装備されているもので、電解分解装置（有隔膜電解槽）にて生成された各電解生成水（酸性イオン水およびアルカリイオン水）のそれぞれを収容する酸性イオン水用タンクおよびアルカリイオン水用タンク、各イオン水用タンクに接続された各導出管路と、水栓金具に接続した注出管路と、導出管路と注出管路との間に介在し各導出管路を注出管路に選択的に接続する電磁弁を備える構成のものである。
【０００４】
当該電解水生成装置の水栓金具には、アルカリイオン水用の操作スイッチと酸性イオン水用の操作スイッチが設けられていて、所望のスイッチを操作することにより、水栓金具から、所望するアルカリイオン水または酸性イオン水が選択的に吐出するようになっている。当該電解水生成装置、または、当該電解水生成装置を装備する洗面化粧台には、当該化粧台の使用者が、水栓金具から吐出している電解生成水がアルカリイオン水か酸性イオン水かを、使い勝手のうえから、視認により確認することができるようにすることが望まれる。
【０００５】
一方、当該電解水生成装置とは形式を若干異にする電解水生成装置には、使用者が所望の電解生成水（イオン水：アルカリ強、アルカリ中、アルカリ弱、酸性）を選択した場合に、選択した電解生成水の種類を、操作パネルの液晶パネルに表示するように構成した電解水生成装置（イオン水生成器）が提案されている（特許文献２を参照）。
【０００６】
当該特許文献２にて提案されているイオン生成器においては、注出ノズル（注出管路）、排出ノズル（排出管路）、浄水注出管路、注出ノズルに排出ノズルおよび浄水注出管路を選択的に接続する三方弁を備え、三方弁の切替動作により、注出ノズルから各種のイオン水（アルカリ強、アルカリ中、アルカリ弱、酸性）が注出されるようになっている。所望の種類の電解生成水の選択は、操作パネルに設けたスイッチの各操作部によって行われ、選択した操作部の操作に応じて、操作部に対応する数のＬＥＤが液晶パネルの背部にて点灯するように構成されている。
【先行技術文献】
【特許文献】
【０００７】
【特許文献１】実開平４−１４１９５号公報
【特許文献２】特開２００２−６６５５９号公報
【発明の概要】
【発明が解決しようとする課題】
【０００８】
ところで、特許文献２にて提案されているイオン水生成器においては、選択した種類のイオン水を表示する手段は、液晶パネルの背部に設けた多数のＬＥＤであって、使用者の選択したイオン水の種類に応じて、設定された数のＬＥＤが点灯するようになっている。例えば、使用者が（アルカリ強）のイオン水を選択した場合には、レベル表示部には９個のレベルが表示され、（アルカリ中）のイオン水を選択した場合には、レベル表示部には６個のレベルが表示され、（アルカリ弱）のイオン水を選択した場合には、レベル表示部には４個のレベルが表示される。
【０００９】
従って、当該イオン水生成器によれば、現在吐出しているイオン水が如何なる種類のイオン水であるのか知りたい場合には、操作パネルに設けた表示パネルのレベル表示部のレベル表示を確認して、レベル表示をイオン水の種類に対比して確認することになり、このような イオン水の種類の確認は、イオン水の使用者にとっては極めて面倒である。
【００１０】
本発明の目的は、本願発明が適用対象とする電解水生成装置において、電解生成水の採取者や使用者等が現に吐出している電解生成水が、選択した所望の種類の電解生成水であることを、吐出する電解生成水および／または注出ノズル部を視認することによって、容易に確認することができるようにすることにある。
【課題を解決するための手段】
【００１１】
本発明は、電解水生成装置に関する。本発明が適用対象とする第１の電解水生成装置は、有隔膜電解槽にて生成された電解生成酸性水および電解生成アルカリ性水をそれぞれ導出する２本の導出管路と、前記電解生成酸性水および前記電解生成アルカリ性水を選択的に注出する１本の注出管路と、前記各導出管路と前記注出管路との間に介在し切替動作により前記各導出管路を前記注出管路に選択的に接続する注出弁装置と、前記注出管路の先端部に接続された注出ノズル装置を備え、前記注出弁装置の切替動作により、前記電解生成酸性水および前記電解生成アルカリ性水を前記注出管路に選択的に注出して前記注出ノズル装置を構成する注出ノズルを通して吐出する形式の電解水生成装置である。
【００１２】
また、本発明が適用対象とする第２の電解水生成装置は、有隔膜電解槽にて生成された電解生成酸性水および電解生成アルカリ性水をそれぞれ導出する２本の導出管路と、前記電解生成酸性水、前記電解生成アルカリ性水およびこれら両電解生成水の混合した電解生成水を選択的に注出する１本の注出管路と、前記各導出管路と前記注出管路との間に介在し切替動作により前記各導出管路を前記注出管路に選択的にまたは同時に接続する注出弁装置と、前記注出管路の先端部に接続された注出ノズル装置を備え、前記注出弁装置の切替動作により、前記電解生成酸性水、前記電解生成アルカリ性水およびこれら両電解生成水の混合した電解生成水を選択的に前記注出管路に注出して、前記注出ノズル装置を構成する注出ノズルを通して吐出する形式の電解水生成装置である。
【００１３】
本発明に係る第１および第２の電解水生成装置が装備する注出ノズル装置は、発光色の異なる複数の発光素子を内蔵し、前記各発光素子は選択的に注出される電解生成水の種類に応じて異なる色に発光して、前記注出ノズル部または前記注出ノズルから吐出する電解生成水を視認可能に照明するものであり、下記に示す構成のものである。
【００１４】
すなわち、当該注出ノズル装置は、円筒状のノズル部の長手方向の中間部に外向きフランジ状の棚部を有し前記ノズル部の上端部にて前記注出管路の先端部に接続される透明樹脂からなるノズル本体と、前記ノズル本体を所定間隔を保持して外嵌する不透明樹脂からなる円筒状のアウタパイプと、前記ノズル本体のノズル部の下端部に取付けられた状態で前記アウタパイプの下端開口部に嵌着されている透明樹脂からなる円盤状の散水スペーサと、前記ノズル本体の棚部上に前記ノズル部の外周を取巻く状態に配置された発光色の異なる複数の発光素子を備える構成のものである。
【００１５】
本発明に係る電解水生成装置が装備する注出ノズル装置においては、前記散水スペーサをレンズ状に形成して、前記発光素子にて発光する光を、前記ノズル本体のノズル部から吐出する電解生成水の中央部に収束すべく機能するように構成することができる。
【発明の効果】
【００１６】
本発明に係るこれらの第１および第２の電解水生成装置においては、電解生成水の採取者（使用者を含む）が、操作パネルに設けてある選択スイッチを操作して採取すべき電解生成水の種類を選択した場合には、制御装置は出力される選択信号（指示信号）に基づいて、注出弁装置を構成する弁部を切替動作して、選択された所望の電解生成水を注出管路に注出し、注出された電解生成水を注出ノズル装置を構成するノズル部を通して吐出させる。
【００１７】
電解生成水の採取者は、例えば電解生成酸性水を選択した場合には、制御装置は注出弁装置を切替動作して電解生成酸性水の導出管路を注出管路に接続し、注出管路を通して、電解生成酸性水を注出ノズル装置のノズル部から吐出させる。また、電解生成水の採取者が例えば電解生成アルカリ性水を選択した場合には、制御装置は注出弁装置を切替動作して電解生成アルカリ性水の導出管路を注出管路に接続し、注出管路を通して、電解生成アルカリ性水を注出ノズル装置のノズル部から吐出させる。この場合、注出ノズル装置が内蔵する各発光素子は、選択された混合された電解生成水に対応する色として予め設定されている色を発光して、ノズル本体のノズル部および／または吐出する電解生成酸性水を照射する。
【００１８】
また、電解生成水の採取者は、第２の電解水生成装置において、電解生成酸性水と電解生成アルカリ性水の混合した電解生成水（弱酸性、略中性、弱アルカリ性）を選択してノズル本体のノズル部から吐出させる場合、注出ノズル装置が内蔵する各発光素子は、選択された混合された電解生成水に対応する色として予め設定されている色を発光して、ノズル部および／または吐出する電解生成酸性水を照射する。
【００１９】
従って、当該注出ノズル装置を装備する本発明に係るこれらの電解水生成装置によれば、電解生成水の採取者は、選択した所望の電解生成水を採取する状態において、ノズル本体のノズル部や、同ノズル部から吐出している電解生成水を視認すれば、所望の種類の電解生成水が吐出していることを容易に確認することができる。電解生成水の採取する際の、ノズル部や吐出している電解生成水の視認は、採取する状態で自然になされることであり、決して見落とすことのない視認である。
【００２０】
しかして、当該注出ノズル装置を本願発明で規定するように構成すれば、各発光素子はノズル本体のノズル部や、同ノズル部から吐出している電解生成水を効率よく照明して、視認性を向上させることができるとともに、当該注出ノズル装置の散水スペーサを本願発明で規定する形状とすれば、当該散水スペーサのレンズ機能によって、発光素子にて発光する光を、ノズル本体のノズル部から吐出する電解生成水の中央部に収束させることができて、視認性を一層向上させることができる。
【図面の簡単な説明】
【００２１】
【図１】本発明が適用対象とする電解水生成装置の一例を示す概略構成図である。
【図２】本発明に係る電解水生成装置が装備する注出ノズル装置の縦断側面図である。
【図３】本発明に係る電解水生成装置が装備する注出弁装置を構成する弁本体の縦断側面図である。
【図４】当該注出弁装置の弁本体を構成する構成部材を示す背面図である。
【図５】当該注出弁装置の注出側ケースに嵌合した弁体の動作状態を示す正面図である。
【図６】当該注出ノズル装置を構成する各構成部材の縦断側面図および平面図である。
【図７】当該注出ノズル装置を構成する各ＬＥＤの配置状態を示す平面図である。
【図８】当該注出ノズル装置を構成する散水スペーサの変形例の２つの例を示す縦断面図である。
【図９】当該注出弁装置の変形例の注出弁装置の弁本体を構成する構成部材を示す背面図である。
【図１０】変形例の注出弁装置の注出側ケースに嵌合した弁体の動作状態を示す正面図である。
【発明を実施するための形態】
【００２２】
本発明は電解水生成装置に関する。本発明に係る第１の電解水生成装置は、有隔膜電解槽にて生成された電解生成酸性水および電解生成アルカリ性水をそれぞれ導出する２本の導出管路と、電解生成酸性水および電解生成アルカリ性水を選択的に注出する１本の注出管路と、各導出管路と注出管路との間に介在し切替動作により各導出管路を注出管路に選択的に接続する注出弁装置と、注出管路の先端部に接続された注出ノズル装置を備え、前記注出弁装置の切替動作により、電解生成酸性水および電解生成アルカリ性水を注出管路に選択的に注出して、注出ノズル装置を構成する注出ノズルを通して吐出させるものである。
【００２３】
図１には、本発明が適用対象とする第１の電解水生成装置の一例を示し、図２には、当該電解水生成装置を構成する注出管路の先端部に本発明で規定する注出ノズル装置を接続した一実施形態を示している。
【００２４】
また、図３〜図５には、当該電解水生成装置が装備する注出弁装置を示し、図６には、当該注出ノズル装置の構成部材を示している。本発明に係る電解水生成装置の一実施形態は、図１に示す電解水生成装置に、図６に示す注出ノズル装置を図２に示すように接続して構成されている。
【００２５】
本発明の一実施形態に係る当該電解水生成装置は、図１に示すように、有隔膜電解槽１０、一対の専用の貯溜タンク２０ａ，２０ｂ、被電解水の供給管路３０ａ、各電解生成水の導出管路３０ｂ，３０ｃを備えていて、各貯溜タンク２０ａ，２０ｂは導出管路の途中に配設されている。当該電解水生成装置においては、被電解水として食塩の希薄水溶液を採用しているもので、供給管路３０ａの給水管路部３１の下流側に濃塩水を供給する供給管路部３２が接続されている。
【００２６】
被電解水を調製する原水は、給水源から減圧弁３３ａ、軟水器３３ｂ、フィルタ３３ｃ、減圧弁３３ｄおよびウォータバルブ３３ｅを通して流入し、この間、濃塩水は濃塩水タンク３４ａから塩水供給ポンプ３４ｂを通して、給水管路部３１のウォータバルブ３３ｅより下流側に供給される。濃塩水の供給量は、塩水供給ポンプ３４ｂの作用によって設定された供給流量に制御されていて、給水管路部３１の下流側の管路部内では設定された流量の原水と均一に混合して、設定された所定濃度の希薄食塩水が調製される。調製された希薄食塩水は被電解水として、各流量センサ３５ａ，３５ｂを経て有隔膜電解槽１０の各電解室に供給される。
【００２７】
有隔膜電解槽１０はそれ自体公知のもので、隔膜にて区画された一対の電解室１１，１２を備えている。各電解室１１，１２の上流側には、給水管路３０ａを構成する給水管路部３１の各分岐管路部が接続されている。また、各電解室１１，１２の下流側には、導出管路３０ｂ，３０ｃを構成する上流側の導出管路部３６ａ，３６ｂが接続されている。各導出管路３６ａ，３６ｂは、各貯溜タンク２０ａ，２０ｂに接続されており、各貯溜タンク２０ａ，２０ｂには、導出管路３０ｂ，３０ｃを構成する下流側の導出管路部３６ｃ，３６ｄが接続されている。注出弁装置１００は、２本の導出管路部３６ｃ，３６ｄと１本の注出管路３０ｄとの間に介在している。
【００２８】
かかる構成の当該電解水生成装置は、希薄食塩水を被電解水とするもので、当該電解水生成装置の電解運転では、各電解室１１，１２に配設してある各電極に設定された一定の電圧を印加することにより、設定された電解条件の下で有隔膜電解が行われる。例えば、電解室１１が陽極側電解室で電解室１２が陰極側電解室である場合には、電解室１１で生成された電解生成酸性水は、導出管路３０ｂの上流側管路部３６ａを通して貯溜タンク２０ａに導出されて貯溜タンク２０ａに貯溜される。また、電解室１２で生成された電解生成アルカリ性水は、導出管路３０ｃの上流側管路部３６ｂを通して貯溜タンク２０ｂに導出されて、貯溜タンク２０ｂに貯溜される。貯溜タンク２０ａ，２０ｂに一旦貯溜された電解生成酸性水および電解生成アルカリ性水は、第１注出弁装置１００を開放操作することにより注出管路３０ｄに選択的に注出される。
【００２９】
当該電解水生成装置の電解運転において、各電解室１１，１２の各電極の極性を定期的に反転させて、電解室１１を陰極側電解室に変更させるとともに、電解室１２を陽極側電解室に変更させる。この結果、電解室１１では電解生成アルカリ性水が生成され、生成された電解生成アルカリ性水は上流側流出管路３６ａを通って貯溜タンク２０ａに貯溜されるとともに、電解室１２では電解生成酸性水が生成され、生成された電解生成酸性水は上流側流出管路３６ｂを通って貯溜タンク２０ｂに貯溜される。
【００３０】
この場合、貯溜タンク２０ａにおいては、切替弁２１を切替えて、内部に残留する電解生成酸性水を完全に排出し、その後、電解生成アルカリ性水を貯溜するようにする。また、貯溜タンク２０ｂにおいては、切替弁２２を切替えて、内部に残留する電解生成アルカリ性水を完全に排出し、その後、電解生成酸性水を貯溜するようにする。これにより、貯溜タンク２０ａは電解生成アルカリ性水専用の貯溜タンクに変更され、また、貯溜タンク２０ｂは電解生成酸性水専用の貯溜タンクに変更されることになる。
【００３１】
しかして、注出弁装置１００は、図３および図４に示すように、弁本体１００ａ、および、弁本体１００ａを構成する弁体を回転駆動させる駆動機構１００ｂにて構成されている。弁本体１００ａは、導入側ケース１１０，導入側弁部１２０、弁体１３０、注出側弁部１４０、および、注出側ケース１５０を備えている。
【００３２】
導入側ケース１１０は、軸方向に延びて開口する円筒状の本体１１１と、本体１１１の奥壁部の中心部から一方に延びる円筒状の突起部１１２および他方に延びる段付き状の突起部１１３を備えるとともに、本体１１１の奥壁部の下方部には、同下方部を貫通して一方へ並列して延びる左右一対の導入通路１１４，１１５を備えている。導入側弁部１２０は、円板状のシール部材からなるもので、中心部には、導入側ケース１１０の 段付き状の突起部１１３に対向する角状の嵌合孔１２１と、導入側ケース１１０の各導入通路１１４，１１５に対向する一対の円形状の導入孔１２２，１２３を備えている。
【００３３】
弁体１３０は、円形状の弁体部１３１と、弁体部１３１の中心部ら他方へ延びる段付き状の支持軸１３２を備えるとともに、弁体部１３１の中心部には、導入側ケース１１０の 段付き状の突起部１１３に対向する角状の嵌合孔１３３と、導入側弁部１２０の各導入孔１２２，１２３に選択的に対向可能な円形状の連通孔１３４を備えている。注出側弁部１４０は、円板状のシール部材からなるもので、中心部には弁体１３０の支持軸１３２に対向する角状の貫通孔１４１と、導入側弁部１２０の各導入孔１２２，１２３、および、弁体１３０の連通孔１３４に常時対向する円弧状の注出孔１４２を備えている。
【００３４】
注出側ケース１５０は、軸方向に延びて開口する円筒状の本体１５１と、本体１５１の奥壁部の中央部を他方向に延びて両方向に開口する支持筒１５２と、本体１５１の奥壁部の底部に開口するとともに下方に延びて開口する注出通路１５３を備えている。
【００３５】
当該注出弁装置１００においては、注出側弁部１４０が注出側ケース１５０の本体１５１の内部に嵌合されて奥壁部の当接して収容され、弁体１３０がその支持軸１３２を注出側弁部１４０の貫通孔１４１、および、注出側ケース１５０の支持筒１５２を液密的に貫通させて本体１５１内に嵌合されて収容され、導入側弁部１２０が本体１５１の内部に嵌合されて弁体１３０の弁体部１３１に当接して収容され、導入側ケース１１０が本体１５１内に液密的に嵌合されてその突起部１１３を導入側弁部１２０の嵌合孔１２１、および、弁体１３０の支持孔１３２に嵌合されて収容されている。この状態で、導入側ケース１１０の突起部１１２に押圧プレート１０１を外嵌するとともに、コイル状の圧縮スプリング１０２を外嵌し、蓋体１０３を導入側ケース１１０の各導入通路１１４，１１５に外嵌した状態で取付けられている。
【００３６】
駆動機構１００ｂは、当該弁本体１００ａに搭載されている。駆動機構１００ｂは、ギヤモータ１６０、ギヤ列１７０、および、フォトセンサー１８０を備えていて、ギヤモータ１６０は、注出弁装置１００の図示しないハウジング内に取付けられている。ギヤ列１７０を構成する小径の入力ギヤ１７１は、ギアモータ１６０の出力軸１６１上に一体回転可能に取付けられていて、弁体１３０の支持軸１３２上に一体回転可能に取付けられている大径の出力ギヤ１７２と噛合している。フォトセンサー１８０は、センサー本体１８１とセンサー用スリット板１８２からなり、センサ本体１８１は図示しないハウジング内に取付けらており、また、スリット板１８２は弁体１３０の支持軸１３２上にスペーサ１０４を介して一体回転可能に取付けられている。センサー本体１８１は、スリット板１８２の外周縁部に所定間隔を保持した状態で遊嵌している。
【００３７】
駆動機構１００ｂを構成するギヤモータ１６０は、図示しない制御装置によってその駆動を制御されるもので、制御装置は、ギヤモータ１６０が設定された回転量に達したことをフォトセンサー１８０が検知すると、ギヤモータ１６０の駆動を停止する。当該制御装置は、駆動信号が入力されるとギヤモータ１６０を駆動する。ギヤモータ１６０が駆動すると、ギヤモータ１６０の駆動力はギヤ列１７０の入力ギヤ１７１から出力ギヤ１７２に伝達されて、弁本体１００ａを構成する弁体１３０を回転する。なお、当該制御装置の機能の詳細については後述する。
【００３８】
かかる構成の注出弁装置１００は、図１に示すように、各導出管路３０ｂ、３０ｃの下流側管路部３６ｃ，３６ｄと注出管路３０ｄ間に配設され、導入側ケース１１０の各導入通路１１４，１１５を各下流側管路部３６ｃ，３６ｄに接続するとともに、注出側ケース１５０の注出通路１５３を注出管路３０ｄに接続して使用される。当該注出弁装置１００は、当該電解水生成装置が搭載する制御装置によって、その作動を制御される。当該制御装置は、電解生成水を注出すべき指令信号に基づいて、駆動機構１００ｂを構成するギヤモータ１６０を駆動して、弁本体１００ａを構成する弁体１３０を回転駆動する。この場合、制御装置はフォトセンサー１８０と協働して、弁体１３０を、選択された電解生成水の種類の応じて一方または他方へ所定量回転する制御を行う。
【００３９】
当該注出弁装置１００は、非動作時には電解生成水の注出を停止していて、電解生成水の注出時には、選択された種類の電解生成水を注出通路１５３に注出する。換言すれば、電解生成酸性水および電解生成アルカリ性水は選択的に、注出通路１５３を通して注出管路３０ｄに注出される。このため、当該電解水生成装置には、電解生成酸性水と電解生成アルカリ性水を選択して注出するための、両者用の各注出スイッチがそれぞれ配設されている。
【００４０】
当該電解水生成装置においては、消費者が電解生成水を採取したい場合には、上記した両スイッチのうちの所望する注出用のスイッチを選択して入れる。これにより、制御装置は、送水ポンプ２３，２４のいずれかを駆動させるとともに、弁体１３０をいずれかの方向へ所定量回転させる。注出弁装置１００は、消費者が選択した種類の電解生成水を注出管路３０ｄに注出する。図５には、弁体１３０の非動作時および動作時における導入側弁部１２０と注出側弁部１４０との位置関係を示している。
【００４１】
なお、図５では、導入側弁部１２０の各導入孔１２２，１２３、弁体１３０の連通孔１３４、および、注出側弁部１４０の注出孔１４２の対向関係を明確に示すために、弁体１３０の連通孔１３４を実線で示し、注出側弁部１４０の注出孔１４２を１点鎖線で示し、導入側弁部１２０の各導入孔１２２，１２３を２点鎖線で表示している。
【００４２】
当該電解水生成装置においては、有隔膜電解槽の電解室１１を陽極側とし電解室１２を陰極側とする電解を終了して、貯溜タンク２０ａ内には電解生成酸性水が満タンの状態にあり、貯溜タンク２０ｂ内には電解生成アルカリ性水が満タンの状態にあって、注出弁装置１００は非作動の状態にあるとする。
【００４３】
この場合、当該注出弁装置１００の弁本体１００ａを構成する弁体１３０は非動作の状態にあって、図５（ａ）に示すように中立位置を保持している。弁体１３０が中立位置を保持している状態では、弁体１３０の連通孔１３４は導入側弁部１２０の各導入孔１２２，１２３のいずれにも対向しておらず、各導入孔１２２，１２３のいずれもが注出側弁部１４０の注出孔１４２とは連通していない。このため、各電解生成水の注出管路３０ｄへの注出は遮断された状態にある。
【００４４】
消費者は、電解生成酸性水を採取すべく、電解生成酸性水用の注出スイッチを選択してこれを押動操作して閉じると、制御装置は当該指示信号に基づいて、貯溜タンク２０ａ側の送水ポンプ２３を駆動するとともに、弁本体１００ａの弁体１３０を図示時計回り方向へ所定量（本実施形態では４５度）回転駆動させる。この結果、図５（ｂ）に示すように、弁体１３０の連通孔１３４は、導入側弁部１２０の一方の導入孔１２２に対向して、導入孔１２２を弁体１３０の連通孔１３４を通して、注出側弁部１４０の注出孔１４２に連通させる。この結果、貯溜タンク２０ａから導出管路３０ｂの下流側導出管路部３６ｃを通って導入側ケース１１０の導入通路１１４に導入された電解生成酸性水は、注出側弁部１４０の注出孔１４２、および、注出側ケース１５０の注出通路１５３を通って注出管路３０ｄに注出される。
【００４５】
また、消費者は、電解生成酸性水を所望量採取した場合には、例えば、注出スイッチを再度押動操作してこれを開くと、制御装置は、当該指示信号に基づいて、貯溜タンク２０ａ側の送水ポンプ２３の駆動を停止するとともに、弁体１３０を図示反時計回り方向へ所定量（本実施形態では４５度）回転して中立位置に復帰させ、弁体１３０の連通孔１３４を、導入側弁部１２０の各導入孔１２２，１２３のいずれにも対向しない位置状態とする。この結果、各電解生成水の注出管路３０ｄへの注出を遮断状態となる。
【００４６】
一方、消費者は、電解生成アルカリ性水を採取すべく、電解生成アルカリ水用の注出スイッチを選択して押動操作してこれを閉じると、制御装置は当該指示信号に基づいて、貯溜タンク２０ｂ側の送水ポンプ２４を駆動するとともに、弁本体１００ａの弁体１３０を中立位置から図示反時計回り方向へ所定量（本実施形態では４５度）回転駆動させる。
【００４７】
この結果、図５（ｃ）に示すように、弁体１３０の連通孔１３４は、導入側弁部１２０の他方の導入孔１２３に対向して、導入孔１２３を弁体１３０の連通孔１３４を通して、注出側弁部１４０の注出孔１４２に連通させる。この結果、貯溜タンク２０ｂから導出管路３０ｃの下流側導出管路部３６ｄを通って導入側ケース１１０の導入通路１１４に導入された電解生成酸性水は、注出側弁部１４０の注出孔１４２、および、注出側ケース１５０の注出通路１５３を通って注出管路３０ｄに注出される。
【００４８】
また、消費者は、電解生成アルカリ性水を所望量採取した場合には、例えば、当該注出スイッチを再度押動操作してこれを開くと、制御装置は、当該指示信号に基づいて、貯溜タンク２０ｂ側の送水ポンプ２４の駆動を停止するとともに、弁体１３０を図示時計回り方向へ所定量（本実施形態では４５度）回転して中立位置に復帰させ、弁体１３０の連通孔１３４を、導入側弁部１２０の各導入孔１２２，１２３のいずれにも対向しない位置状態とする。この結果、各電解生成水の注出管路３０ｄへの注出は遮断状態となる。
【００４９】
なお、当該電解水生成装置の電解運転において、各電解室１１，１２の各電極の極性を定期的に反転させて、電解室１１を陰極側電解室に変更させるとともに、電解室１２を陽極側電解室に変更させる電解運転を採っている。このため、各電解室１１，１２の各電極の極性を反転させた電解運転では、電解室１１では電解生成アルカリ性水が生成され、生成された電解生成アルカリ性水は上流側流出管路３６ａを通って貯溜タンク２０ａに貯溜されるとともに、電解室１２では電解生成酸性水が生成され、生成された電解生成酸性水は上流側流出管路３６ｂを通って貯溜タンク２０ｂに貯溜される。
【００５０】
この場合、貯溜タンク２０ａにおいては、切替弁２１を切替えて、内部に残留する電解生成酸性水を完全に排出し、その後、電解生成アルカリ性水を貯溜するようにする。また、貯溜タンク２０ｂにおいては、切替弁２２を切替えて、内部に残留する電解生成アルカリ性水を完全に排出し、その後、電解生成酸性水を貯溜するようにしている。
【００５１】
当該電解運転では、制御装置は電極を反転させた電解運転の開始を記憶し、各電解生成水の注出時には、当該記憶に基づいて、送水ポンプ２３，２４の駆動を制御し、かつ、注出弁装置１００の弁本体１００ａを構成する弁体１３０の回転駆動を、上記した回転駆動とは正逆反対に制御して、各貯溜タンク２０ａ，２０ｂに収容されている電解生成水の種類の変更に対処する。
【００５２】
当該電解水生成装置においては、図２に示すように、注出弁装置１００に接続している注出管路３０ｄの先端部に、注出ノズル装置３００を構成する注出ノズルが接続されている。図２には、注出ノズル装置３００を示し、図６には、当該注出ノズル装置３００を構成する各構成部材を示している。当該注出弁装置１００の注出通路に接続されている注出管路３０ｄの先端部には台座３０ｅが形成されている。台座３０ｅは、注出弁装置１００とマイコンＣを一体に収容するハウジングＨの底部に取付けられていて、当該台座３０ｅに注出ノズル装置３００が組付けられている。
【００５３】
注出ノズル装置３００は、透明樹脂からなるノズル本体３１０と、不透明樹脂からなるアウタパイプ３２０と、透明樹脂からなる散水スペーサ３３０と、複数の発光素子である青色ＬＥＤ３４１および赤色ＬＥＤ３４２により構成されている。
【００５４】
ノズル本体３１０は、注出ノズルとして機能するノズル部３１１と、ノズル部３１１と一体に形成されて各ＬＥＤ３４１，３４２を受承する支持部３１２とからなり、支持部３１２は筒状を呈していて、その上下の中間部に棚部３１３を備えている。棚部３１３は、ノズル部３１１と支持部３１２の筒部とで、ＬＥＤを受承する収容部を形成している。
【００５５】
ノズル本体３１０は、アウタパイプ３２０内に挿入された状態で、ノズル部３１１の下端部に散水スペース３３０が嵌着されている。散水スペーサ３３０は円盤状を呈するもので、円盤状のスペーサ本体３３１の中央部には取付穴３３２を有していて、取付穴３３２を中心に、その周囲に同心状に多数の散水孔３３３が形成されている。散水スペーサ３３０は、アウタパイプ３２０の下端部に嵌合した状態で、スペーサ本体３３１の取付穴３３２に挿通したネジ３３４を介して、ノズル部３１１の下端部に取付けられている。
【００５６】
このように組立てられたノズル組立体には、支持部３１２の棚部３１３に複数のＬＥＤ３４１，３４２を収容して受承し、この状態で、ノズル部３１１の上端部を台座３０ｅ内の注出管路３０ｄの接続部位に嵌着し、かつ、アウタパイプ３２０の上端部を台座３０ｅの取付部位に嵌着することによって、注出管路３０ｄの先端に取付けられている。この場合、各ＬＥＤ３４１，３４２は、棚部３１３の各角形状の凹部に嵌合して回り止めされた状態で、そのリード線を台座３０ｅの開口部を通してマイコンＣに接続されていている。マイコンＣは、各ＬＥＤ３４１，３４２の発光の点灯および消灯を制御する制御手段である。
【００５７】
図７には、各ＬＥＤ３４１，３４２の配列状態の一例を示している。各ＬＥＤ３４１，３４２のうち、２個の赤色ＬＥＤ３４２は周方向に１８０度離間して配置されていて、これらの２個の赤色ＬＥＤ３４２の間に青色ＬＥＤ３４１が３個づつ配置されている。マイコンＣは、注出管路３０ｄから注出される電解生成水の種類に応じて、各ＬＥＤ３４１，３４２の点灯および消灯を制御する。
【００５８】
当該電解水生成装置においては、すでに詳述しているように、注出弁装置１００の切替動作によって、電解生成酸性水と電解生成アルカリ性水の２種類の電解生成水を選択的に注出することができる。この場合、消費者が電解生成酸性水の注出（採取）を選択したときには、マイコンＣは、当該選択に応じて全ての青色ＬＥＤを点灯して発光させて、アウタパイプ３２０を青色に照明するとともに、散水スペーサ３３０を通して吐出する電解生成酸性水を青色に照明する。また、消費者が電解生成アルカリ性水の注出（採取）を選択した場合には、マイコンＣは、当該選択に応じて全ての赤色ＬＥＤを点灯して発光させて、アウタパイプ３２０を赤色に照明するとともに、散水スペーサ３３０を通して吐出する電解生成アルカリ性水を赤色に照明する。なお、選択された種類の電解生成水の注出が停止されると、マイコンＣは各ＬＥＤ３４２，３４２を消灯する。
【００５９】
このように、当該注出ノズル装置３００を装備する本発明に係る電解水生成装置においては、電解生成水の採取者（使用者）が、操作パネルに設けてある選択スイッチを操作して電解生成水の種類を選択した場合には、マイコンＣは出力される指示信号に基づいて、注出ノズル装置３００の各ＬＥＤの点灯を制御して、選択した電解生成水の種類に応じた色に、注出ノズル装置３００のアウタパイプ３２０、および、散水スペーサ３３０を通して吐出する電解生成酸性水を照明する。
【００６０】
従って、本発明に係る電解水生成装置によれば、電解生成水の採取者は、その採取時に、注出ノズル装置３００や吐出している電解生成水を視認すれば、所望の種類の電解生成水が吐出していることを確認することができる。電解生成水の採取や使用の際の、注出ノズル装置３００や吐出している電解生成水の視認は、採取者は自然の状態でなされることから、所望の電解生成水が吐出していることを容易かつ確実に確認することができる。
【００６１】
図８には、当該注出ノズル装置３００を構成する散水スペーサの変形例を示している。図８に示す散水スペーサ３３０Ａは、スペーサ本体３３１の上面を上側に膨出する凸形状に形成し、かつ、スペーサ本体３３１の下面を下側に膨出する凸形状に形成してレンズ状としてレンズ機能を付与したものである。また、散水スペーサ３３０Ｂは、スペーサ本体３３１の下面を上側に膨出する凹形状に形成してレンズ状としてレンズ機能を付与したものである。当該注出ノズル装置３００にこれらの散水スペーサ３３０Ａ，３３ＯＢを採用すれば、ＬＥＤから発光される光を、吐出する電解生成水の中央に収束させることができて、照明色の視認性を一層向上させることができる。
【００６２】
また、散水スペーサ３３０の散水穴を３３３を、図６に示す散水スペーサ３３０のごとく、スペーサ本体３３１の中央部より外周付近に多く集めて、その間に空気層を設けるようにすれば、注出された電解生成水中に一旦照射された光を電解生成水内から漏れ難くして、照射光を吐出される電解生成水の中央内部に保持することができて、照明色による視認性にさらに向上させることができる。
【００６３】
本発明に係る第２の電解水生成装置は、第１の電解水生成装置が装備する注出弁装置１００の弁本体を変形した注出弁装置１００Ａ（図９、図１０を参照）を採用しているものである。当該電解水生成装置は、電解生成酸性水、電解生成アルカリ性水、および、これらの電解生成水の混合した電解生成水（例えば略中性の電解生成水）を選択的に注出することを意図している。以下、当該注出弁装置１００Ａの構成および作動について、図９および図１０を参照して説明する。
【００６４】
当該注出弁装置１００Ａは、弁体を除き、基本的には、注出弁装置１００と同一の構成部材にて構成されている。当該注出弁装置１００Ａを構成する弁本体は、図９に示すように、導入側ケース１１０Ａ、導入側弁部１２０Ａ、弁体１３０Ａ、注出側弁部１４０Ａ、および、注出側ケース１５０Ａを備えている。導入側ケース１１０Ａ、導入側弁部１２０Ａ、注出側弁部１４０Ａ、および、注出側ケース１５０Ａは、注出弁装置１００を構成する導入側ケース１１０、導入側弁部１２０、注出側弁部１４０、および、注出側ケース１５０と同一の部材である。
【００６５】
これに対して、弁体１３０Ａは、一対の円弧状の連通孔１３５，１３６を有する点でのみ、弁体１３０とは異なる構成となっている。弁体１３０Ａが有する連通孔１３５，１３６は、周方向に互いに所定量離間して形成されていて、導入側弁部１２０Ａが有する一対の導入孔１２２，１２３の外側に位置していて、弁体１３０Ａが回転駆動した場合には、弁体１３０とは導入側弁部の導入孔１２２，１２３と注出側弁部の注出孔１４２との連通関係を異にする。
【００６６】
当該注出弁装置１００Ａは、電解生成酸性水、電解生成アルカリ性水、および、略中性の電解生成水（次亜塩素酸ナトリウム水溶液）の３種類の電解生成水を選択的に注出する機能を有するもので、当該注出弁装置１００Ａが非作動の状態にある場合には、弁体１３０Ａも非動作の状態にあって、図１０（ａ）に示すように中立位置を保持している。弁体１３０Ａが中立位置を保持している状態では、弁体１３０Ａの各連通孔１３５、１３６は導入側弁部１２０Ａの各導入孔１２２，１２３のいずれにも対向しておらず、各導入孔１２２，１２３のいずれもが注出側弁部１４０Ａの注出孔１４２とは連通していない。このため、各電解生成水の注出管路３０ｄへの注出は遮断状態にある。
【００６７】
消費者は、電解生成アルカリ水を採取すべく、電解生成アルカリ性水用の注出スイッチを選択して押動操作して閉じると、制御装置は当該指示信号に基づいて、貯溜タンク２０ｂ側の送水ポンプ２４を駆動するとともに、弁体１３０Ａを図示時計回り方向へ所定量（本実施形態では４１度）回転駆動させる。
【００６８】
この結果、図１０（ｂ）に示すように、弁体１３０Ａの他方の連通孔１３６は、導入側弁部１２０Ａの他方の導入孔１２３に対向して、導入孔１２３を弁体１３０Ａの連通孔１３６を通して、注出側弁部１４０Ａの注出孔１４２に連通させる。この結果、貯溜タンク２０ｂから導出管路３０ｂの下流側導出管路部３６ｄを通って導入側ケース１１０Ａの導入通路１１５に導入された電解生成アルカリ性水は、導入側弁部１２０Ａの他方の導入孔１２３、弁体１３０Ａの連通孔１３６、注出側弁部１４０Ａの注出孔１４２、および、注出側ケース１５０Ａの注出通路１５３を通って注出管路３０ｄに注出される。
【００６９】
消費者は、電解生成アルカリ性水を所望量採取した場合には、例えば、当該注出スイッチを再度押動操作して開くと、制御装置は、当該指示信号に基づいて、貯溜タンク２０ｂ側の送水ポンプ２４の駆動を停止するとともに、弁体１３０Ａを図示反時計回り方向へ所定量（本実施形態では４１度）回転して中立位置に復帰させ、弁体１３０Ａの連通孔１３５，１３６を、導入側弁部１２０Ａの各導入孔１２２，１２３のいずれにも対向しない位置状態とする。この結果、各電解生成水の注出管路３０ｄへの注出は遮断状態となる。
【００７０】
一方、消費者は、電解生成酸性水を採取すべく、電解生成酸性水用の注出スイッチを選択して押動操作して閉じると、制御装置は当該指示信号に基づいて、貯溜タンク２０ａ側の送水ポンプ２３を駆動するとともに、弁体１３０Ａを中立位置から図示反時計回り方向へ所定量（本実施形態では４１度）回転駆動させる。
【００７１】
この結果、図１０（ｃ）に示すように、弁体１３０Ａの一方の連通孔１３５は、導入側弁部１２０Ａの一方の導入孔１２２に対向して、導入孔１２２を弁体１３０Ａの連通孔１３５を通して、注出側弁部１４０の注出孔１４２に連通させる。この結果、貯溜タンク２０ａから導出管路３０ｃの下流側導出管路部３６ｃを通って導入側ケース１１０Ａの導入通路１１４に導入された電解生成酸性水は、導入側弁部１２０Ａの他方の導入孔１２２、弁体１３０Ａの連通孔１３５、注出側弁部１４０Ａの注出孔１４２、および、注出側ケース１５０の注出通路１５３を通って注出管路３０ｄに注出される。
【００７２】
消費者は、電解生成酸性水を所望量採取した場合には、例えば、当該注出スイッチを再度押動操作して開くと、制御装置は、当該指示信号に基づいて、貯溜タンク２０ａ側の送水ポンプ２３の駆動を停止するとともに、弁体１３０Ａを図示時計回り方向へ所定量（本実施形態では４１度）回転して中立位置に復帰させ、弁体１３０Ａの連通孔１３５，１３６を、導入側弁部１２０Ａの各導入孔１２２，１２３のいずれにも対向しない位置状態とする。この結果、各電解生成水の注出管路３０ｄへの注出は遮断状態となる。
【００７３】
また、消費者は、略中性の電解生成水を採取すべく、当該電解生成水用の注出スイッチを選択して押動操作して閉じると、制御装置は当該指示信号に基づいて、各貯溜タンク２０ａ，２０ｂ側の送水ポンプ２３，２４を駆動するとともに、弁体１３０Ａを中立位置から図示時計回り方向へ所定量（本実施形態では１０２度）回転駆動させる。この結果、図１０（ｄ）に示すように、弁体１３０Ａの他方の連通孔１３６は、導入側弁部１２０Ａの各導入孔１２２，１２３に同時に対向して、導入孔１２２，１２３を弁体１３０Ａの連通孔１３５を通して、注出側弁部１４０の注出孔１４２に連通させる。
【００７４】
この結果、貯溜タンク２０ａ、２０ｂから導出管路３０ｂ，３０ｃの下流側導出管路部３６ｃ、３６ｄを通って導入側ケース１１０の導入通路１１４，１１５に導入された電解生成酸性水および電解生成アルカリ性水は、導入側弁部１２０Ａの各導入孔１２２，１２３を通って弁体１３０Ａの連通孔１３５で合体し、略中性の電解生成水として、注出側弁部１４０Ａの注出孔１４２、および、注出側ケース１５０Ａの注出通路１５３を通って注出管路３０ｄに注出される。
【００７５】
消費者は、略中性の電解生成水を所望量採取した場合には、例えば、当該注出スイッチを再度押動操作して開くと、制御装置は、当該指示信号に基づいて、各貯溜タンク２０ａ，２０ｂ側の送水ポンプ２３，２４の駆動を停止するとともに、弁体１３０Ａを図示反時計回り方向へ所定量（本実施形態では１０２度）回転して中立位置に復帰させて、弁体１３０Ａの連通孔１３５，１３６を、導入側弁部１２０Ａの各導入孔１２２，１２３のいずれにも対向しない位置状態とする。この結果、各電解生成水の注出管路３０ｄへの注出は遮断状態となる。
【００７６】
なお、略中性の電解生成水を採取する場合には、弁体１３０Ａを中立位置から図示反時計回り方向へ所定量（本実施形態では１０２度）回転駆動させる制御を行っているが、この制御に替えて、弁体１３０Ａを中立位置から図示時計回り方向へ所定量（１０２度）回転駆動させる制御を行うようにしてもよい。
【００７７】
このように、当該電解水生成装置においては、電解生成酸性水、電解生成アルカリ性水、略中性の電解生成水の３種類の電解生成水を選択的に注出可能に構成されているが、当該電解水生成装置が装備する注出ノズル装置３００のマイコンＣによって、吐出する電解生成水およびアウタパイプ３２０を、電解生成水の種類に応じた色で照明する。
【００７８】
例えば、マイコンＣは、消費者が電解生成酸性水の注出を選択した場合には、当該選択に応じて全ての青色ＬＥＤを点灯して発光させて、アウタパイプ３２０を青色に照明するとともに、散水スペーサ３３０を通して吐出する電解生成酸性水を青色に照明する。
【００７９】
また、消費者が電解生成アルカリ性水の注出を選択した場合には、マイコンＣは、当該選択に応じて全ての赤色ＬＥＤを点灯して発光させて、アウタパイプ３２０を赤色に照明するとともに、散水スペーサ３３０を通して吐出する電解生成アルカリ性水を赤色に照明する。さらにまた、消費者が略中性の電解生成水の注出を選択した場合には、マイコンＣは、当該選択に応じて１個の赤色ＬＥＤと３個の青色ＬＥＤを点灯して発光させて、アウタパイプ３２０を紫色に照明するとともに、散水スペーサ３３０を通して吐出する略中性の電解生成水を紫色に照明する。
【符号の説明】
【００８０】
１０…有隔膜電解槽、１１，１２…電解室、２０ａ，２０ｂ…貯溜タンク、２１，２２…切替弁、２３，２４…送水ポンプ、３０ａ…供給管路、３０ｂ，３０ｃ…導出管路、３０ｄ…注出管路、３０ｅ…台座、３１…給水管路部、３２…供給管路部、３３ａ…減圧弁、３３ｂ…軟水器、３３ｃ…フィルタ、３３ｄ…減圧弁、３３ｅ…ウォータバルブ、３４ａ…濃塩水タンク、３４ｂ…塩水供給ポンプ、３５ａ，３５ｂ…流量センサ、３６ａ，３６ｂ…上流側管路部、３６ｃ，３６ｄ…下流側管路部、１００，１００Ａ…注出弁装置、１００ａ…弁本体、１００ｂ…駆動機構、１０１…押圧プレート、１０２…圧縮スプリング、１０３…蓋体、１１０，１１０Ａ…導入側ケース、１１１…本体、１１２，１１３…突起部、１１４，１１５…導入通路、１２０、１２０Ａ…導入側弁部、１２１…嵌合孔、１２２，１２３…導入孔、１３０，１３０Ａ…弁体、１３１…弁体部、１３２…支持軸、１３３…嵌合孔、１３４，１３５，１３６…連通孔、１４０，１４０Ａ…注出側弁部、１４１…貫通孔、１４２…注出孔、１５０，１５０Ａ…注出側ケース、１５１…本体、１５２…支持筒、１５３…注出通路、１６０…ギヤモータ、１６１…出力軸、１７０…ギヤ列、１７１…入力ギヤ、１７２…出力ギヤ、１８０…フォトセンサー、１８１…センサー本体、１８２…センサー用スリット板、Ｈ…ハウジング、３００…注出ノズル装置、３１０…ノズル本体、３１１部…ノズル、３１２…支持部、３１３…棚部、３２０…アウタパイプ、３３０，３３０Ａ，３３０Ｂ…散水スペーサ、３３１…スペーサ本体、３３２…取付穴、３３３…散水穴、３３４…ネジ、３４１…青色ＬＥＤ、３４２…赤色ＬＥＤ。
【図１】
0005220177.tif 000002
【図２】
0005220177.tif 000003
【図３】
0005220177.tif 000004
【図４】
0005220177.tif 000005
【図５】
0005220177.tif 000006
【図６】
0005220177.tif 000007
【図７】
0005220177.tif 000008
【図８】
0005220177.tif 000009
【図９】
0005220177.tif 000010
【図１０】
0005220177.tif 000011